(57)【要約】【課題】空気より平均分子量が大きい冷媒を用いた空気調和機において、無通電状態の室内機内の冷媒配管等から冷媒が漏洩しても、室内で冷媒濃度一定以上の領域の形成を抑制することができる空気調和機の室内機を提供する。【解決手段】空気調和機の室内機において、空気より平均分子量が大きい冷媒が封入された冷媒配管３０を内部に収容し、内部と外部とを連通する吸込口及び吹出口の両者が設けられ、前記両者の少なくとも一方は前面の下側寄りに配置された外ケースと、前記外ケースの内部に設けられ、前記冷媒配管３０の一部又は全部を少なくとも下方側と前記前面の側とから覆うカバー体４１と、を備える。【選択図】図６
2015078798.tif 000002
【特許請求の範囲】
【請求項１】
空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、
前記外ケースの内部に設けられ、前記冷媒配管の一部又は全部を少なくとも下方側と前記前面の側とから覆うカバー体と、を備えたことを特徴とする空気調和機の室内機。
【請求項２】
前記外ケースは、前記冷媒配管に接続された熱交換器を内部に収容し、
前記外ケースの内部には、前記吸込口から前記熱交換器を通過して前記吹出口へと通じる風路が形成され、
前記カバー体は、前記外ケースの内部かつ前記風路の外に配置されることを特徴とする請求項１に記載の空気調和機の室内機。
【請求項３】
前記冷媒配管は、前記外ケースの内部における左右の一側寄りに配置され、
前記カバー体は、前記冷媒配管の中途に設けられた継手部分を、少なくとも下方側と前記前面の側と左右の他側とから覆うことを特徴とする請求項１又は請求項２に記載の空気調和機の室内機。
【請求項４】
前記カバー体は、前記継手部分を上方側以外の５方向の側から覆い、前記継手部分に対する前記前面の反対側に上下方向に切欠部が形成されていることを特徴とする請求項３に記載の空気調和機の室内機。
【請求項５】
前記外ケースは、前記冷媒配管に接続され、上側寄りの位置に配置された熱交換器を内部に収容し、
前記外ケースの内部には、前記吸込口から前記熱交換器を通過して前記吹出口へと通じる風路が形成され、
前記カバー体は、前記冷媒配管及び前記熱交換器を覆うとともに、当該カバー体の少なくとも前記前面の側における前記風路上に開口が設けられることを特徴とする請求項１に記載の空気調和機の室内機。
【発明の詳細な説明】
【技術分野】
【０００１】
この発明は、空気調和機の室内機に関するものである。
【背景技術】
【０００２】
従来における空気調和機においては、熱交換器の溶接部分から漏洩する可燃性冷媒により爆発性雰囲気を生じる可能性を低減することを目的として、室内機と室外機とを冷媒流路で接続して可燃性冷媒を封入し、冷凍サイクルを構成した分離型空気調和機であって、室内機内に配設され冷媒流路に溶接部分を有する室内熱交換器と、室内熱交換器の溶接部を覆い溶接部から漏洩する冷媒を受けるカバーと、カバー内に室内の空気を取り込むための通気孔と、カバー内の冷媒を排出するためにカバーの下部に設けられた排出流路と、排出流路に設けられ可燃性ガスを検知するセンサと、を備え、センサの出力に基づいて排出流路に配設された送風装置を作動させるものが知られている（例えば、特許文献１参照）。
【先行技術文献】
【特許文献】
【０００３】
【特許文献１】特開２００８−２９２０６６号公報
【特許文献２】特開２０１３−０６４５２５号公報
【発明の概要】
【発明が解決しようとする課題】
【０００４】
しかしながら、特許文献１に示された従来における空気調和機は、センサ及び送風装置を動作させるための電力が必要であることから、倉庫等での保管時、修理時あるいは移設工事時等、空気調和機が通電されていない状況で冷媒が漏洩した場合には機能しない。
【０００５】
このため、無通電状態で室内機内の冷媒配管等から冷媒が漏洩し、この漏洩した冷媒が室内機から室内へと流出した場合には、当該室内において冷媒濃度が一定以上となる領域が形成されてしまう懸念がある。
【０００６】
この発明は、このような課題を解決するためになされたもので、空気より平均分子量が大きい冷媒を用いた空気調和機において、無通電状態の室内機内の冷媒配管等から冷媒が漏洩し、この漏洩した冷媒が室内機から室内へと流出した場合であっても、当該室内において冷媒濃度が一定以上となる領域が形成されることを抑制することができる空気調和機の室内機を得るものである。
【課題を解決するための手段】
【０００７】
この発明に係る空気調和機の室内機においては、空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、前記外ケースの内部に設けられ、前記冷媒配管の一部又は全部を少なくとも下方側と前記前面の側とから覆うカバー体と、を備えた構成とする。
【発明の効果】
【０００８】
この発明に係る空気調和機の室内機においては、空気より平均分子量が大きい冷媒を用いた空気調和機において、無通電状態の室内機内の冷媒配管等から冷媒が漏洩し、この漏洩した冷媒が室内機から室内へと流出した場合であっても、当該室内において冷媒濃度が一定以上となる領域が形成されることを抑制することができるという効果を奏する。
【図面の簡単な説明】
【０００９】
【図１】この発明の実施の形態１に係る空気調和機の室内機及び室外機の構成を模式的に示す図である。
【図２】この発明の実施の形態１に係る空気調和機の室内機の外観を示す斜視図である。
【図３】この発明の実施の形態１に係る空気調和機の室内機の内部構成を模式的に示す正面図である。
【図４】この発明の実施の形態１に係る空気調和機の室内機の内部構成を模式的に示す側面図である。
【図５】この発明の実施の形態１に係る空気調和機の室内機が備える第１のカバー体を冷媒配管の継手部分に取り付ける前の状態を示す斜視図である。
【図６】この発明の実施の形態１に係る空気調和機の室内機が備える第１のカバー体を冷媒配管の継手部分に取り付けた状態を示す斜視図である。
【図７】この発明の実施の形態１に係る空気調和機の室内機が密閉空間内に置かれた状態を示す図である。
【図８】この発明の実施の形態１に係る空気調和機の室内機から第１のカバー体が取り外された状態で継手部分から冷媒が漏洩した場合を説明する図である。
【図９】図８の空気調和機の室内機が密閉空間内に置かれた状態を示す図である。
【図１０】密閉空間内に置かれた空気調和機の室内機の継手部分から冷媒が漏洩した場合の冷媒濃度分布を測定するための装置の構成を示す図である。
【図１１】この発明の実施の形態１に係る空気調和機の室内機から第１のカバー体が取り外された状態で継手部分から冷媒が漏洩した場合の冷媒濃度分布の一例を示す図である。
【図１２】この発明の実施の形態１に係る空気調和機の室内機に第１のカバー体を取り付けた状態で継手部分から冷媒が漏洩した場合の冷媒濃度分布の一例を示す図である。
【図１３】この発明の実施の形態２に係る空気調和機の室内機の内部構成を模式的に示す側面図である。
【図１４】この発明の実施の形態２に係る空気調和機の室内機の内部構成を透視して模式的に示す斜視図である。
【発明を実施するための形態】
【００１０】
この発明を添付の図面に従い説明する。各図を通じて同符号は同一部分又は相当部分を示しており、その重複説明は適宜に簡略化又は省略する。
【００１１】
実施の形態１．
図１から図１２は、この発明の実施の形態１に係るもので、図１は空気調和機の室内機及び室外機の構成を模式的に示す図、図２は空気調和機の室内機の外観を示す斜視図、図３は室内機の内部構成を模式的に示す正面図、図４は室内機の内部構成を模式的に示す側面図、図５は室内機が備える第１のカバー体を冷媒配管の継手部分に取り付ける前の状態を示す斜視図、図６は室内機が備える第１のカバー体を冷媒配管の継手部分に取り付けた状態を示す斜視図、図７は室内機が密閉空間内に置かれた状態を示す図、図８は室内機から第１のカバー体が取り外された状態で継手部分から冷媒が漏洩した場合を説明する図、図９は図８の室内機が密閉空間内に置かれた状態を示す図、図１０は密閉空間内に置かれた室内機の継手部分から冷媒が漏洩した場合の冷媒濃度分布を測定するための装置の構成を示す図、図１１は室内機から第１のカバー体が取り外された状態で継手部分から冷媒が漏洩した場合の冷媒濃度分布の一例を示す図、図１２は室内機に第１のカバー体を取り付けた状態で継手部分から冷媒が漏洩した場合の冷媒濃度分布の一例を示す図である。
【００１２】
図１において、空気調和機は、室内機１０及び室外機２０からなる。室内機１０は、空気調和の対象となる部屋の室内に設置される。室外機２０は、当該部屋の室外に設置される。室内機１０は、室内機熱交換器１１及び室内機ファン１２を備えている。室外機２０は、室外機熱交換器２１及び室外機ファン２２を備えている。室内機１０と室外機２０とは冷媒配管３０で接続されている。冷媒配管３０は、室内機熱交換器１１と室外機熱交換器２１との間で循環的に設けられている。冷媒配管３０内には冷媒ガスが封入されている。
【００１３】
冷媒配管３０内に封入される冷媒ガスは、可燃性（より正確には微燃性）のガスである。また、この冷媒ガスは空気よりも平均分子量が大きく（空気に対する比重が１よりも大きく）、空気中では重力方向の下方へと沈んでいく性質を持っている。この冷媒として、具体的に例えば、ジフルオロメタン（ＣＨ２Ｆ２：Ｒ３２）、テトラフルオロプロパン（ＣＦ３ＣＦ＝ＣＨ２：ＨＦＯ−１２３４ｙｆ）、プロパン（Ｒ２９０）、プロピレン（Ｒ１２７０）、エタン（Ｒ１７０）、ブタン（Ｒ６００）、イソブタン（Ｒ６００ａ）、１．１．１．２−テトラフルオロエタン（Ｃ２Ｈ２Ｆ４：Ｒ１３４ａ）、ペンタフルオロエタン（Ｃ２ＨＦ５：Ｒ１２５）、１．３．３．３−テトラフルオロ−１−プロペン（ＣＦ３−ＣＨ＝ＣＨＦ：ＨＦＯ−１２３４ｚｅ）等の中から選ばれる１つ以上の冷媒からなる（混合）冷媒を用いることができる。ここでは、冷媒配管３０内には、冷媒としてＲ３２（ジフルオロメタン：ＣＨ２Ｆ２）が封入されているとして説明を続ける。
【００１４】
室内機熱交換器１１と室外機熱交換器２１との間における冷媒の循環経路の一側の冷媒配管３０には、開閉弁３１が介挿されている。また、同循環経路の他側の冷媒配管３０には、四方弁３２を介して圧縮機２３及びアキュムレータ２４（蓄圧器）が設けられている。これらの室内機熱交換器１１、室外機熱交換器２１、圧縮機２３、アキュムレータ２４、開閉弁３１及び四方弁３２と、これらを接続し内部に冷媒が封入された冷媒配管３０とにより、冷凍サイクル（冷媒回路）が構成される。
【００１５】
このようにして構成された冷凍サイクルは、室内機熱交換器１１及び室外機熱交換器２１のそれぞれにおいて冷媒と空気の間で熱交換を行うことにより、室内機１０と室外機２０との間で熱を移動させるヒートポンプとして働く。なお、四方弁３２を切り換えることにより、冷凍サイクルにおける冷媒の循環方向を反転させて冷房運転と暖房運転とを切り換えることができる。
【００１６】
図２に示すように、室内機１０は外ケース１３を備えている。外ケース１３は、略直方体状を呈する箱体である。すなわち、外ケース１３は、前面１３ａ、背面１３ｂ、上面１３ｃ、下面１３ｄ、及び、左右２つの側面１３ｅを備えている。この室内機１０は、部屋内の床面上に載置されて用いられる、いわゆる「床置型」の室内機である。
【００１７】
外ケース１３には、外ケース１３の内部と外部とを連通する吸込口１４ａ及び吹出口１４ｂが設けられている。これらの吸込口１４ａ及び吹出口１４ｂの少なくとも一方は前面１３ａの下側寄りに配置される。ここでは、吸込口１４ａが外ケース１３の前面１３ａの下側寄りに配置されている。吹出口１４ｂは、外ケース１３の前面１３ａの上側寄りに配置されている。なお、吹出口１４ｂは、他の場所、例えば、外ケース１３の上面１３ｃに配置することもできる。
【００１８】
次に、図３及び図４を参照しながら、室内機１０の内部の構成について説明する。前述したように、室内機１０は室内機熱交換器１１及び室内機ファン１２を備えている。室内機熱交換器１１は、室内機１０の外ケース１３の内部における上側寄りの位置に配置されて収容されている。さらに、室内機熱交換器１１は、吹出口１４ｂの後方における左右の一側寄りに配置される。また、室内機ファン１２は、室内機１０の外ケース１３の内部における下側寄りの位置に配置されて収容されている。さらに加えて、室内機ファン１２は、吸込口１４ａの後方における左右の一側寄りに配置される。
【００１９】
外ケース１３の内部には、吸込口１４ａから室内機ファン１２及び室内機熱交換器１１を通過して吹出口１４ｂへと通じる風路が形成されている。室内機熱交換器１１及び室内機ファン１２は、外ケース１３内の左右の一側寄りに配置されることから、この風路も外ケース１３内の左右の一側寄りに形成される。
【００２０】
外ケース１３の内部には、仕切板１５が設けられている。この仕切板１５は、室内機熱交換器１１における熱交換効率の向上を主目的として、室内機熱交換器１１と室内機ファン１２との間に設けられる。特に図４に示すように、仕切板１５は、室内機熱交換器１１の下端から前面１３ａの方へと略水平に設けられる水平部材と、この水平部材から室内機ファン１２の方へと略垂直に設けられる垂直部材とからなる。
【００２１】
さらに、外ケース１３の内部には、冷媒配管３０が収容されている。冷媒配管３０は、封入された冷媒が気体となって流れているガス管と、封入された冷媒が液体となって流れている液管の２本がある。これらの冷媒配管３０は、外ケース１３内の左右の他側寄りにおいて、ほぼ上下方向に沿って配置される。冷媒配管３０の一端（上方側）は、室内機熱交換器１１に接続される。冷媒配管３０の他端（下方側）は、室外機２０へと繋がっている。なお、冷媒配管３０は、配管長を短くするために室内機熱交換器１１の背面側に配置される。
【００２２】
外ケース１３内の冷媒配管３０の中途には、継手３３が設けられている。この継手３３は、室内機熱交換器１１側の冷媒配管３０と室内機１０から室外機２０へと続く側の冷媒配管３０を着脱可能に接続する。継手３３は、据付工事の作業性向上等の目的で、室内機ファン１２の上方近傍で、かつ、仕切板１５の下方側に配置される。
【００２３】
なお、外ケース１３内における左右の他側寄りかつ上側寄りの位置には、電子回路１６が収容されている。この電子回路１６は、室内機ファン１２の動作等、室内機１０の運転動作を制御するためのものである。
【００２４】
そして、外ケース１３の内部には、外ケース１３内の冷媒配管３０の一部又は全部を少なくとも下方側と前面１３ａの側とから覆うカバー体であるところの第１のカバー体４１が設けられている。この第１のカバー体４１は、特に、冷媒配管３０の継手３３の部分を覆うようにして設けられる。
【００２５】
前述したように、冷媒配管３０は外ケース１３内の左右の他側寄りに配置されている。したがって、冷媒配管３０の継手３３の部分に設けられる第１のカバー体４１も外ケース１３内の左右の他側寄りに配置される。外ケース１３内の左右の一側寄りには吸込口１４ａから室内機熱交換器１１を通過して吹出口１４ｂへと通じる風路が形成されているが、第１のカバー体４１は、外ケース１３の内部で、かつ、この風路の外に配置される。このように、第１のカバー体４１を風路外に配置することで、風路中の空気の流れを邪魔することがない（圧損を生じることがない）。
【００２６】
図５に、第１のカバー体４１を示す。第１のカバー体４１は、上方側の面が開放された略直方体状の部材である。すなわち、第１のカバー体４１は、下面、前面、背面及び左右両側面の５面を有している。上方側には面は設けられず開口となっている。
【００２７】
第１のカバー体４１の下面には、下面切欠部４１ａが形成されている。下面切欠部４１ａの大きさは、２本並んでいる状態の冷媒配管３０が下面切欠部４１ａ内に入る程度に調整される。
【００２８】
また、第１のカバー体４１の背面には、上下方向にわたって背面切欠部４１ｂが形成されている。背面切欠部４１ｂの上端側は第１のカバー体４１の上方側の開口に繋がっている。背面切欠部４１ｂの下端側は下面切欠部４１ａに繋がっている。
【００２９】
このように構成された第１のカバー体４１を、冷媒配管３０の継手３３の部分に取り付けた状態が図６である。第１のカバー体４１を取り付ける際には、まず、冷媒配管３０の継手３３の部分を第１のカバー体４１の背面切欠部４１ｂに通す。そして、冷媒配管３０の継手３３より上方側が第１のカバー体４１の上方開口を通るようにし、冷媒配管３０の継手３３より下方側が第１のカバー体４１の下面切欠部４１ａ内を通るようにする。
【００３０】
この際、第１のカバー体４１の下面においては、冷媒配管３０との間になるべく隙間が生じないようにすることが望ましい。そこで、図６の状態において冷媒配管３０との間に生じた下面切欠部４１ａの隙間を例えばシリコンゴム又はパテ等で埋めるようにしてもよい。
【００３１】
このようにして、第１のカバー体４１は、冷媒配管３０の継手３３の部分を上方側以外の５方向の側、すなわち、下方側、前面側、背面側及び左右の両側から覆うようにして取り付けられる。
【００３２】
なお、ここで、第１のカバー体４１の下面とは下方側の面である。また、第１のカバー体４１が取り付けられた状態において、第１のカバー体４１の前面とは、冷媒配管３０の継手３３から見て、外ケース１３の前面１３ａの側の面であり、第１のカバー体４１の背面とは、冷媒配管３０の継手３３から見て、外ケース１３の前面１３ａの側とは反対側の面である。
【００３３】
図７は、以上のように構成された床置型の室内機１０を、室内機１０が設置される部屋を想定した密閉空間５０内に設置した状態を示すものである。室内機１０は、密閉空間５０内における床面上に載置される。この際、室内機１０の背面は密閉空間５０の１つの内壁に沿った中央部に配置される。室内機１０を運転すると、室内機１０の前面１３ａの下側寄りに設けられた吸込口１４ａから、密閉空間５０内の空気が吸い込まれる。そして、室内機１０内で調整された空気が室内機１０の前面１３ａの上側寄りに設けられた吹出口１４ｂから噴出される。
【００３４】
次に、図８及び図９は、室内機１０の運転を停止し、かつ、第１のカバー体４１を取り外した状態において、冷媒配管３０の継手３３が何らかの事情で緩み、この継手３３の部分から冷媒配管３０内の冷媒が高速で漏洩した状態を示している。図８に示すように、継手３３の部分から漏洩した冷媒の大部分は、ほとんど減速することなく外ケース１３内を直接的に吸込口１４ａへと向かって流れていく。
【００３５】
したがって、図９に示すように、主に室内機１０の前面１３ａの下側寄りに設けられた吸込口１４ａから、密閉空間５０内へと漏洩した冷媒が噴き出す。一方、継手３３の部分から漏洩した冷媒のごく一部は、外ケース１３内を上方へと回り、前面１３ａの上側寄りに設けられた吹出口１４ｂからも、密閉空間５０内へと漏洩する。
【００３６】
前述したように、冷媒配管３０内の冷媒は空気より重く、空気中では重力方向の下方へと沈んでいく性質を持っている。このような冷媒ガスが室内機１０から室内（密閉空間５０内）に漏洩した場合、漏洩した冷媒ガスは床面上を這うように流れていく。そして、特に、流出速度の水平方向成分が一定以上の場合には、水平方向に沿ってほぼ等濃度の状態を保ちながら床面上に下から上に向かって徐々に堆積しながら濃化していく。
【００３７】
図１０に示すのは、このようにして室内機１０から冷媒が漏洩した場合における密閉空間５０内の冷媒濃度分布を調べるための装置の一例である。図７の場合と同様に、室内機１０は、室内機１０の背面側が１つの内壁に沿った中央部に配置されるように密閉空間５０内の床面上に載置される。なお、密閉空間５０は、例えば、厚さ１０ｍｍのベニヤ板で作られており、床面積４．５畳、天井高さ２．５ｍの寸法を持つ。
【００３８】
密閉空間５０外には冷媒ボンベ５１が置かれている。この冷媒ボンベ５１内には、室内機１０で用いられるものと同じ冷媒が充填されている（ここでは、冷媒ボンベ５１内にはＲ３２が液相で充填されているとする）。冷媒ボンベ５１からは冷媒供給管が延びている。この冷媒供給管は、室内機１０の冷媒配管３０に接続されている。冷媒配管３０の継手３３は、冷媒の漏洩箇所、漏洩量及び漏洩速度を一定にするため、予め一定の量だけ緩められている。
【００３９】
冷媒ボンベ５１は、台秤５２の上に載せられている。冷媒ボンベ５１のバルブを開き、冷媒が継手３３から密閉空間５０内に漏洩するに従い冷媒ボンベの重量は低下する。この際の冷媒ボンベ５１の重量の時間変化を台秤５２にて計測することで、冷媒ボンベ５１から密閉空間５０内への冷媒漏洩速度（ｇ／ｍｉｎ）を求めることができる。
【００４０】
密閉空間５０内には、ガス濃度センサ５３が設置されている。ガス濃度センサ５３は、密閉空間５０内の略中央部において、高さ方向に複数並べて配置される。ここでは、床上５０（ｍｍ）、３００（ｍｍ）、５００（ｍｍ）、１０００（ｍｍ）及び２０００（ｍｍ）のそれぞれの位置にガス濃度センサ５３を配置した。これらのガス濃度センサ５３は酸素濃度センサである。
【００４１】
密閉空間内の酸素量の初期状態は、密閉空間５０内の空気に対して２１．０（体積％）とする。冷媒の漏洩によって密閉空間５０内に存在する全ての気体に対して空気が占める相対的な割合が減少する。密閉空間５０内における空気の割合が減少すれば、密閉空間５０内の酸素濃度は低下する。しかし、密閉空間５０内の空気に対する酸素の割合は変わらない。したがって、各酸素センサ２５により測定された密閉空間内の酸素濃度（体積％）を０．２１で除することで空気濃度が算出され、これを１００（体積％）から減じることで、密閉空間５０内の各高さ位置における冷媒濃度を求めることができる。
【００４２】
このように構成された装置を用いて、室内機１０から第１のカバー体４１を取り外した状態において、冷媒ボンベ５１の元栓を緩めて、約１ｋｇ漏洩させた後、元栓を閉めた際の各ガス濃度センサ５３により計測された最高冷媒濃度の値をプロットしたものが図１１である。なお、この間の平均漏洩速度を算出した結果、約１００ｇ／ｍｉｎであった。
【００４３】
Ｒ３２は空気より重たいため、この図１１に示されるように、ガス濃度センサ５３の位置（測定点）が低い程、Ｒ３２の濃度は高くなる。第１のカバー体４１を取り付けていない場合、高さｈＬＦＬより低い箇所で、最高冷媒濃度がＣＬＦＬ（燃焼下限濃度）以上となっていることが見てとれる。ここでは、ＬＦＬ＝１４．４ｖｏｌ＝０．３０６（ｇ／ｍ３）としている。
【００４４】
これに対し、室内機１０の冷媒配管３０の継手３３部分に、図５、図６で示す第１のカバー体４１を取り付けた状態で、同じようにして継手３３部分から冷媒を漏洩させた場合の最高冷媒濃度の分布を示したものが図１２である。
【００４５】
継手３３部分に第１のカバー体４１を取り付けることで、継手３３から噴き出した冷媒ガスが第１のカバー体４１に衝突して冷媒ガスの勢いが殺され、吸込口１４ａから漏洩する冷媒ガスの速度の水平成分を抑えることができる。
【００４６】
前述したように、冷媒漏洩時における密閉空間５０内の冷媒の濃化の程度は、冷媒ガスの漏洩速度の水平成分の大きさに依存している。このため、第１のカバー体４１を設けることで、継手３３から噴き出す冷媒ガスの初速を低減し、密閉空間５０内の冷媒濃度を低く抑えることが可能となる。
【００４７】
この図１２に示す例では、第１のカバー体４１を設けることで、いずれの高さにおいても、燃焼下限濃度ＣＬＦＬを超えることはないという結果が得られた。
【００４８】
ここで、以上の説明からも分かるように、継手３３から冷媒が漏洩した際に吸込口１４ａから漏洩する冷媒の速度を減じるためには、外ケース１３内において継手３３から吸込口１４ａへと向かって噴き出る冷媒の流れを阻害することが重要となる。
【００４９】
前述したように、冷媒配管３０及び第１のカバー体４１は、外ケース１３の内部における左右の他側寄りに配置されている。したがって、左右方向で比較した場合、前記他側が吸込口１４ａの中央の方へと向いており、一側は吸込口１４ａの中央とは反対側となる。そこで、この場合には、第１のカバー体４１としては、冷媒配管３０の継手３３の部分を、少なくとも下方側と前面１３ａの側と左右の一側とから覆うようにすることで、効率的に継手３３から吸込口１４ａへと向かって噴き出る冷媒の流れを阻害することが可能となる。
【００５０】
以上のように構成された空気調和機の室内機は、空気より平均分子量が大きい冷媒が封入された冷媒配管３０を内部に収容し、内部と外部とを連通する吸込口１４ａ及び吹出口１４ｂの両者が設けられ、前記両者の少なくとも一方は前面１３ａの下側寄りに配置された外ケース１３と、外ケース１３の内部に設けられ、冷媒配管３０の一部又は全部を少なくとも下方側と前面１３ａの側とから覆う第１のカバー体４１と、を備えたものである。
【００５１】
このため、無通電状態の室内機１０の外ケース１３内の冷媒配管３０等から冷媒が漏洩し、この漏洩した冷媒が室内機１０から室内へと流出した場合であっても、当該室内において冷媒濃度が一定以上となる領域が形成されることを抑制することができる。
【００５２】
また、冷媒配管３０においては継手３３が緩む等して継手３３部分から冷媒が漏洩する可能性が高い。そこで、第１のカバー体４１により、少なくとも、冷媒配管３０の継手３３部分を覆うようにして、この漏洩可能性が高い箇所に対して、効果的に漏洩時の冷媒の流出を阻害し、室内機１０が設置される室内において冷媒濃度が一定以上となる領域が形成されることを抑制することができる。
【００５３】
なお、以上においては空気調和機の床置型の室内機について説明したが、上述したような効果は、床置型室内機に留まらず、天井設置型、壁設置型の室内機及び室外機、あるいは、冷凍サイクルを備えた空気調和機以外の機器（給湯器等）でも得ることができる。
【００５４】
実施の形態２．
図１３及び図１４は、この発明の実施の形態２に係るもので、図１３は空気調和機の室内機の内部構成を模式的に示す側面図、図１４は空気調和機の室内機の内部構成を透視して模式的に示す斜視図である。
ここで説明する実施の形態２は、前述した実施の形態１の構成における第１のカバー体に代えて、第２のカバー体を設けるようにしたものである。
【００５５】
すなわち、図１３及び図１４に示すように、外ケース１３の内部には、外ケース１３内の冷媒配管３０の一部又は全部を少なくとも下方側と前面１３ａの側とから覆うカバー体であるところの第２のカバー体４２が設けられている。この第２のカバー体４２は、外ケース１３内の冷媒配管３０に加えて、さらに室内機熱交換器１１も覆うように設けられる。
【００５６】
ただし、外ケース１３内の風路における圧損を抑えるため、第２のカバー体４２の少なくとも前面１３ａの側における風路上には、熱交換用開口部４２ａが設けられている。
他の構成は実施の形態１と同様であるため、その詳細説明は省略する。
【００５７】
以上のように構成された空気調和機の室内機においても、実施の形態１と同様の効果を奏することができるのに加えて、さらに、冷媒配管３０の継手３３部分のみならず、外ケース１３内の冷媒配管３０のいずれの箇所あるいは室内機熱交換器１１において冷媒が漏洩した場合であっても、第２のカバー体４２により冷媒の流れを阻害して、室内機１０が設置された室内において冷媒濃度が一定以上となる領域が形成されることを抑制することができる。
【符号の説明】
【００５８】
１０  室内機、  １１  室内機熱交換器、  １２  室内機ファン、  １３  外ケース、  １３ａ  前面、  １３ｂ  背面、  １３ｃ  上面、  １３ｄ  下面、  １３ｅ  側面、  １４ａ  吸込口、  １４ｂ  吹出口、  １５  仕切板、  １６  電子回路、  ２０  室外機、  ２１  室外機熱交換器、  ２２  室外機ファン、  ２３  圧縮機、  ２４  アキュムレータ、  ３０  冷媒配管、  ３１  開閉弁、  ３２  四方弁、  ３３  継手、  ４１  第１のカバー体、  ４１ａ  下面切欠部、  ４１ｂ  背面切欠部、  ４２  第２のカバー体、  ４２ａ  熱交換用開口部、  ５０  密閉空間、  ５１  冷媒ボンベ、  ５２  台秤、  ５３  ガス濃度センサ
【図１】
2015078798.tif 000003
【図２】
2015078798.tif 000004
【図３】
2015078798.tif 000005
【図４】
2015078798.tif 000006
【図５】
2015078798.tif 000007
【図６】
2015078798.tif 000008
【図７】
2015078798.tif 000009
【図８】
2015078798.tif 000010
【図９】
2015078798.tif 000011
【図１０】
2015078798.tif 000012
【図１１】
2015078798.tif 000013
【図１２】
2015078798.tif 000014
【図１３】
2015078798.tif 000015
【図１４】
2015078798.tif 000016
【手続補正書】
【提出日】平成26年11月19日(2014.11.19)
【手続補正１】
【補正対象書類名】特許請求の範囲
【補正対象項目名】全文
【補正方法】変更
【補正の内容】
【特許請求の範囲】
【請求項１】
空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、
前記外ケースの内部に設けられたカバー体と、を備え、
前記冷媒配管は、前記外ケースの内部における左右の一側寄りに上下方向に沿って配置され、
前記カバー体は、前記冷媒配管の中途に設けられた継手部分を、少なくとも下方側と前記前面の側と左右の他側とから覆うことを特徴とする空気調和機の室内機。
【請求項２】
空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、
前記外ケースの内部に設けられたカバー体と、を備え、
前記冷媒配管は、前記外ケースの内部において上下方向に沿って配置され、
前記カバー体は、前記冷媒配管の中途に設けられた継手部分を上方側以外の５方向の側から覆い、前記継手部分に対する前記前面の反対側に上下方向に切欠部が形成されていることを特徴とする空気調和機の室内機。
【請求項３】
空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、
前記外ケースの内部に設けられたカバー体と、を備え、
前記冷媒配管は、前記外ケースの内部における左右の一側寄りに配置され、
前記カバー体は、前記冷媒配管の中途に設けられた継手部分を上方側以外の５方向の側から覆い、前記継手部分に対する前記前面の反対側に上下方向に切欠部が形成されていることを特徴とする空気調和機の室内機。
【請求項４】
前記外ケースは、前記冷媒配管に接続された熱交換器を内部に収容し、
前記外ケースの内部には、前記吸込口から前記熱交換器を通過して前記吹出口へと通じる風路が形成され、
前記カバー体は、前記外ケースの内部かつ前記風路の外に配置されることを特徴とする請求項１から請求項３のいずれか一項に記載の空気調和機の室内機。
【請求項５】
空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、
前記外ケースの内部に設けられ、前記冷媒配管の一部又は全部を少なくとも下方側と前記前面の側とから覆うカバー体と、を備え、
前記外ケースは、前記冷媒配管に接続され、上側寄りの位置に配置された熱交換器を内部に収容し、
前記外ケースの内部には、前記吸込口から前記熱交換器を通過して前記吹出口へと通じる風路が形成され、
前記カバー体は、前記冷媒配管及び前記熱交換器を覆うとともに、当該カバー体の少なくとも前記前面の側における前記風路上に開口が設けられることを特徴とする空気調和機の室内機。
【手続補正２】
【補正対象書類名】明細書
【補正対象項目名】０００７
【補正方法】変更
【補正の内容】
【０００７】
この発明に係る空気調和機の室内機においては、空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、前記外ケースの内部に設けられたカバー体と、を備え、前記冷媒配管は、前記外ケースの内部における左右の一側寄りに上下方向に沿って配置され、前記カバー体は、前記冷媒配管の中途に設けられた継手部分を、少なくとも下方側と前記前面の側と左右の他側とから覆う構成とする。
あるいは、この発明に係る空気調和機の室内機においては、空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、前記外ケースの内部に設けられたカバー体と、を備え、前記冷媒配管は、前記外ケースの内部において上下方向に沿って配置され、前記カバー体は、前記冷媒配管の中途に設けられた継手部分を上方側以外の５方向の側から覆い、前記継手部分に対する前記前面の反対側に上下方向に切欠部が形成されている構成とする。
また、あるいは、この発明に係る空気調和機の室内機においては、空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、前記外ケースの内部に設けられたカバー体と、を備え、前記冷媒配管は、前記外ケースの内部における左右の一側寄りに配置され、前記カバー体は、前記冷媒配管の中途に設けられた継手部分を上方側以外の５方向の側から覆い、前記継手部分に対する前記前面の反対側に上下方向に切欠部が形成されている構成とする。
さらに、あるいは、この発明に係る空気調和機の室内機においては、空気より平均分子量が大きい冷媒が封入された冷媒配管を内部に収容し、内部と外部とを連通する吸込口及び吹出口の両者が設けられ、前記両者の少なくとも一方は前面の下側寄りに配置された外ケースと、前記外ケースの内部に設けられ、前記冷媒配管の一部又は全部を少なくとも下方側と前記前面の側とから覆うカバー体と、を備え、前記外ケースは、前記冷媒配管に接続され、上側寄りの位置に配置された熱交換器を内部に収容し、前記外ケースの内部には、前記吸込口から前記熱交換器を通過して前記吹出口へと通じる風路が形成され、前記カバー体は、前記冷媒配管及び前記熱交換器を覆うとともに、当該カバー体の少なくとも前記前面の側における前記風路上に開口が設けられる構成とする。